(57)【要約】【課題】洗浄対象に液体の微小な滴を打ち当てるようにし、洗浄対象の汚濁物質の引き剥がし力を増加させて洗浄力の向上を図る洗浄装置、および、このような洗浄装置を搭載して長期間の連続測定を実現する水質計を提供する。【解決手段】供給される圧縮エアを噴射する気体噴射部３１と、一端から被検液が供給され他端の開口部まで被検液が通流するノズル３２と、を有し、ノズル３２の開口部が気体噴射部３１の噴射流路と連通し、圧縮エアの噴射とともにアスピレータとしての作用によりノズル３２の開口部から被検液を吸引して滴状とし、圧縮エアに滴を含めた圧縮流体を洗浄対象に噴射する流体噴射部３を備える洗浄装置１とした。またこのような洗浄装置を搭載する水質計とした。【選択図】図３
2008002956.tif 000002
【特許請求の範囲】
【請求項１】
被検液に接液する洗浄対象に付着した汚濁物質を除去する洗浄装置であって、
供給される圧縮気体を噴射する気体噴射部と、一端から液体が供給され他端の開口部まで液体が通流するノズルと、を有し、ノズルの開口部が気体噴射部の噴射流路と連通し、圧縮気体の噴射とともにノズルの開口部から液体を吸引して滴状とし、滴を含む圧縮流体を洗浄対象に噴射する流体噴射部を備えることを特徴とする洗浄装置。
【請求項２】
請求項１に記載の洗浄装置において、
前記ノズルは、一端の開口部から被検液を流入させ、被検液による滴を含む圧縮流体を噴射することを特徴とする洗浄装置。
【請求項３】
請求項１に記載の洗浄装置において、
前記ノズルは、一端から水または洗浄液が供給され、水または洗浄液による滴を含む圧縮流体を噴射することを特徴とする洗浄装置。
【請求項４】
請求項１〜請求項３の何れか一項に記載の洗浄装置において、
前記気体噴射部は噴射流路内で前記ノズルを同軸に配置して形成した環状流路であり、かつ前記ノズルの開口部は噴射流路の開口部の中側の近傍に配置されて噴射流路と連通するものであり、前記流体噴射部は、環状流路から圧縮気体が噴射されるとともに中央のノズルの開口部から液体を吸引して滴状とし、滴を含む圧縮流体を噴射することを特徴とする洗浄装置。
【請求項５】
被検液と接液し、被検液の性状についての検出信号を取得する洗浄対象としての検出部と、
検出部を洗浄する請求項１〜請求項４の何れか一項に記載の洗浄装置と、
を備えることを特徴とする水質計。
【請求項６】
請求項５に記載の水質計において、
前記検出部は、
発光ユニットに接続されて被検液に光を照射する発光部と、
受光ユニットに接続されて被検液を通過した発光部からの光を受光する受光部と、
を備え、
前記洗浄装置が、発光部および受光部をそれぞれ洗浄することを特徴とする水質計。
【発明の詳細な説明】
【技術分野】
【０００１】
本発明は、被検液中の洗浄対象を洗浄する洗浄装置、および、この洗浄装置を搭載した水質計に関する。
【背景技術】
【０００２】
被検液中で洗浄される洗浄対象の一例として、例えば、工業用水や河川水などの被検液に浸漬され、この被検液の性状を検出する検出部が挙げられる。被検液中の検出部は、時間経過につれて被検液中に含まれる汚濁物質（例えば、被測定対象が河川・湖沼・下水・排水の被検液ならば微生物など）が付着し、検出能力が劣化してくる。そこで、このような検出部を一定期間経過毎に洗浄して、検出能力を維持する保守作業が必要となってくる。このような検出部の洗浄では特にデータの欠測を回避する必要があるため、検出部を引き上げることなく被検液中に浸漬したまま洗浄を行う。
【０００３】
このように被検液中の検出部を洗浄する従来技術として、例えば、特許文献１，２，３が開示されている。
特許文献１に記載された従来技術は、測定セルを洗浄する洗浄ノズルを測定セルの周囲に配置し、ノズル噴射液を加圧気体とともに洗浄ノズルから測定セルに噴射して洗浄するというものである。
特許文献２に記載された従来技術は、センサーによる測定時以外では加圧空気の導入や加圧洗浄水の導入によって測定セル内から被測定水を排除し、センサーの検出部が被測定水に触れる機会を少なくすることでセンサーの汚れを少なくし、長時間の継続的な測定を可能とするものである。
特許文献３に記載された従来技術は、プローブ内に洗浄用流体（例えば水）が、プローブヘッドのスリットを勢いよく通過し、その状態で光学窓のそれぞれに勢いよく噴射され、これによって各光学窓が洗浄される、というものである。
【０００４】
また、一般的に検出部を洗浄する従来技術は、例えば薬液洗浄、エア洗浄、超音波洗浄、水ジェット洗浄、拭取洗浄などがあった。
薬液洗浄は、検出部に対して近傍に設けたノズルから薬液を噴射して検出部の汚れを除去する方式である。
エア洗浄は、検出部に対して近傍に設けたノズルから圧縮エアを噴射して検出部の汚れを除去する方式である。さらにこのエア洗浄は継続して圧縮エアを吹き付ける単純吹き付け方式と、高圧の圧縮エアの供給・停止を繰り返してパルス状に吹き付けるパルスジェット方式と、に分類される。
【０００５】
超音波洗浄は、検出部に対して超音波を照射して検出部の汚れを除去する方式である。
水ジェット洗浄は、検出部に対して近傍に設けたノズルから水をジェット噴射して検出部の汚れを除去する方式である。
拭取洗浄は、例えばワイパー機構などを用いて検出部の汚れを直接接触除去する方式である。
【０００６】
【特許文献１】実開昭６３−１５９７５３号公報（第１図）
【特許文献２】特開平７−１６７８５３号公報（段落番号００１９，００２３，図１）
【特許文献３】特開２０００−２０６１０６号公報（段落番号００２５，図１，図２）
【発明の開示】
【発明が解決しようとする課題】
【０００７】
薬液洗浄の洗浄効果は高いが、水質検出を行う検出部に対して薬液を使うことには制約があるため全ての現場に薬液洗浄を導入できない。そこで薬液洗浄に代わる効果的な洗浄方法が検討されてきた。上記のように洗浄方式が多種ある理由は汚染状況に応じて洗浄効果の得られるものを取捨選択してきた結果である。
【０００８】
このうち被検液の性状に与える影響が低く、かつ洗浄力が高い方式としてエアー洗浄が考えられる。このエアー洗浄方式では検出器に付着した汚れを圧縮気体の噴射力により力学的に除去するものであるが、単純吹き付け方式では空気圧の増加に上限があって噴射力の増加に限界があり、強力な引き剥がし力を得ることが困難で洗浄力の向上に限界があった。
また、パルスジェット式はこの点を改良し、一瞬ではあるが強力な引き剥がし力を発生させることができるため、洗浄力を増加させている。しかし、強力な引き剥がし力は一瞬しか発生しないため、持続的にこの力を与え続けることが原理的に困難で洗浄力の向上に限界があった。
【０００９】
また、洗浄対象となる検出部に汚濁物質が強固に付着して洗浄不能になったとき、検出部を引き上げて接触洗浄により洗浄することとなり、洗浄を行っている期間ではデータの欠測が発生するという問題があった。欠測を生じさせないように洗浄力をより向上させたいという要請があった。
【００１０】
そこで、本発明は上記問題点を解決するためになされたものであり、その目的は、洗浄対象に液体の微小な滴を打ち当てるようにし、洗浄対象の汚濁物質の引き剥がし力を増加させて洗浄力の向上を図る洗浄装置、および、このような洗浄装置を搭載して長期間の連続測定を実現する水質計を提供することにある。
【課題を解決するための手段】
【００１１】
上記目的を達成するために、本発明の請求項１に係る洗浄装置は、
被検液に接液する洗浄対象に付着した汚濁物質を除去する洗浄装置であって、
供給される圧縮気体を噴射する気体噴射部と、一端から液体が供給され他端の開口部まで液体が通流するノズルと、を有し、ノズルの開口部が気体噴射部の噴射流路と連通し、圧縮気体の噴射とともにノズルの開口部から液体を吸引して滴状とし、滴を含む圧縮流体を洗浄対象に噴射する流体噴射部を備えることを特徴とする。
【００１２】
また、本発明の請求項２に係る洗浄装置は、
請求項１に記載の洗浄装置において、
前記ノズルは、一端の開口部から被検液を流入させ、被検液による滴を含む圧縮流体を噴射することを特徴とする。
【００１３】
また、本発明の請求項３に係る洗浄装置は、
請求項１に記載の洗浄装置において、
前記ノズルは、一端から水または洗浄液が供給され、水または洗浄液による滴を含む圧縮流体を噴射することを特徴とする。
【００１４】
また、本発明の請求項４に係る洗浄装置は、
請求項１〜請求項３の何れか一項に記載の洗浄装置において、
前記気体噴射部は噴射流路内で前記ノズルを同軸に配置して形成した環状流路であり、かつ前記ノズルの開口部は噴射流路の開口部の中側の近傍に配置されて噴射流路と連通するものであり、前記流体噴射部は、環状流路から圧縮気体が噴射されるとともに中央のノズルの開口部から液体を吸引して滴状とし、滴を含む圧縮流体を噴射することを特徴とする。
【００１５】
本発明の請求項５に係る水質計は、
被検液と接液し、被検液の性状についての検出信号を取得する洗浄対象としての検出部と、
検出部を洗浄する請求項１〜請求項４の何れか一項に記載の洗浄装置と、
を備えることを特徴とする。
【００１６】
また、本発明の請求項６に係る水質計は、
請求項５に記載の水質計において、
前記検出部は、
発光ユニットに接続されて被検液に光を照射する発光部と、
受光ユニットに接続されて被検液を通過した発光部からの光を受光する受光部と、
を備え、
前記洗浄装置が、発光部および受光部をそれぞれ洗浄することを特徴とする。
【発明の効果】
【００１７】
以上の本発明によれば、洗浄対象に液体の微小な滴を打ち当てるようにし、洗浄対象の汚濁物質の引き剥がし力を増加させて洗浄力の向上を図る洗浄装置、および、このような洗浄装置を搭載して長期間の連続測定を実現する水質計を提供することができる。
【発明を実施するための最良の形態】
【００１８】
続いて、本発明を実施するための最良の形態の洗浄装置および水質計について、図を参照しつつ一括して説明する。図１は本形態の水質計の構成図、図２はセンサ部の構成図、図３は洗浄装置の構成図である。図１〜図３において図の複雑化を避けるためねじ等の締結部の図示を省略している。水質計１０００は、水質の検査が必要な海（内湾・沿岸等）、湖沼、ダム水、河川などの被検液中で使用されるものである。このような水質計１０００の構成は、大別してセンサ部１０、ブッシング１１、封止部１２、蓋部１３、導入ベース部１４、端子部１５、コード１６、基板１７、継手１８、継手１９、エアチューブ２０、継手２１、受光ユニット収容ケース２２、発光ユニット収容ケース２３、電源部２４、コード２５、蓋部２６を備えている。
【００１９】
続いて、水質計１０００の構成について概略説明する。
センサ部１０は、被検液に紫外線を照射し、この紫外線の吸光度から、水中の有機汚濁物質の濃度を測定する。このセンサ部１０は、詳しくは、図２で示すように、センサベース部１００、検出空間１０１、発光部側ロッドレンズ１０２、光源ランプ１０３、ソケット１０４、ランプベース１０５、受光部側ロッドレンズ１０６、光学ベース１０７、ハーフミラー１０８、第１受光部１０９、第２受光部１１０、接続コード１１１、シール１１２、洗浄装置１を備えている。
【００２０】
センサベース部１００は各部が取付けられるように孔等が形成されたベースである。
検出空間１０１は、被検液が導入されるようにセンサベース部１００内に窪んだ空間として形成されている。なお図ではセンサベース部１００に切り欠きを設けたものであるが、機械的強度を高めるため、検出空間１０１の側面をセンサベース部１００の上下を結ぶ図示しない側壁や側柱で補強するように形成しても良い。
【００２１】
発光部側ロッドレンズ１０２は、発光ユニット（後述）に接続されて被検液に紫外線による光を照射する発光部であり、センサベース部１００の孔に埋め込まれて配置されている。
光源ランプ１０３は、その照射部の光軸と発光部側ロッドレンズ１０２の光軸とを一致させて光学的に接続されており、光源ランプ１０３からの光が発光部側ロッドレンズ１０２を介して被検液に照射される。
【００２２】
ソケット１０４は、光源ランプ１０３との電気的な接続を行う。
ランプベース１０５は、これら光源ランプ１０３とソケット１０４とを一体に固定する。また、センサベース部１００に嵌め込むときに光源ランプ１０３とソケット１０４との位置決めを容易にする。
【００２３】
受光部側ロッドレンズ１０６は、受光ユニット（後述）に接続されて被検液を通過した発光部側ロッドレンズ１０２（発光部）からの光を受光する受光部であり、センサベース部１００の孔に埋め込まれて配置されている。発光部側ロッドレンズ１０２と受光部側ロッドレンズ１０６とは光軸を一致させた状態で対向している。
光学ベース１０７は、光路１０７ａが形成されており、その光路１０７ａ上でハーフミラー１０８、第１受光部１０９、第２受光部１１０を位置決めしつつ、保持する。
ハーフミラー１０８は、受光部側ロッドレンズ１０６を介して入射する光を図２で示すように上側と左側とに分光する。光は第１受光部１０９と第２受光部１１０とへ入射する。
【００２４】
第１受光部１０９は、光学ベース１０７に固定されて左側に配置されており、ハーフミラー１０８で左側に反射した光を受光し、光強度に比例した検出信号を出力する。第１受光部１０９は基板１７に電気的に接続されており、検出信号は基板１７に搭載された信号処理部へ出力される。
【００２５】
第２受光部１１０は、光学ベース１０７に固定されて上側に配置されており、ハーフミラー１０８で上側に透過した光を受光し、光強度に比例した検出信号を出力する。第２受光部１１０は接続コード１１１を介して基板１７に電気的に接続されており、検出信号は基板１７に搭載された信号処理部へ出力される。
【００２６】
シール１１２は、センサベース部１００の外周に配置される例えばＯリングであり、センサベース部１００と受光ユニット収容ケース２２とを封止する。同様に、センサベース部１００と発光ユニット収容ケース２３とを封止する。これにより被検液が内部に流入する事態を防止する。
洗浄装置１は、本形態ではセンサ部１０に一体に形成されている。この洗浄装置１の詳細については後述する。センサ部１０はこのようなものである。
【００２７】
図１で示す水質計１０００に戻るが、ブッシング１１は、封止部１２の信号ケーブル（図示せず）が導入する箇所に配置されて信号ケーブルが過度に折れ曲がらないよう機械的に補強し、川や海のような流れを伴う被検液でも水質計１０００を使用できるようにする。
封止部１２は、蓋部１３における図示しない信号ケーブルと端子部１５との接続箇所に配置され、信号ケーブルと端子部１５との接続箇所に被検液が侵入しないように配慮している。
【００２８】
蓋部１３は、端子部１５および継手１８を突出させるための二個の孔が形成された円板であり、導入ベース部１４の上側に固定される。端子部１５および継手１８は蓋部１３の孔で外界から封止される。
導入ベース部１４は、端子部１５および継手１８を保持する回転体であり、受光ユニット収容ケース２２の上側の開口部に固定される。端子部１５を介して信号を、また、継手１８を介して圧縮気体の具体例である圧縮エアを導入する。
端子部１５は信号ケーブルと電気的に接続されており、導入ベース部１４に固定されている。
【００２９】
コード１６は端子部１５と電気的に接続されている。
基板１７はコード１６と電気的に接続されている。基板１７には図示しない信号処理回路が搭載されており、図２で示す基板１７に搭載される第１受光部１０９、また、接続コード１１１を介して接続される第２受光部１１０がそれぞれ信号処理回路と接続されており、第１受光部１０９および第２受光部１１０での検出信号を増幅等信号処理してコード１６、端子部１５、信号ケーブルを介して図示しない本体装置へ送信する。この本体装置は検出信号を受信し、各種分析処理を行う。
【００３０】
継手１８は、図示しないエア供給ホースと流路が接続されており、導入ベース部１４に固定されている。
継手１９は、継手１８と流路が接続されており、継手１８の反対側で導入ベース部１４に固定されている。
エアチューブ２０は、継手１９と流路が接続されている。
【００３１】
継手２１は、エアチューブ２０と流路が接続されており、センサ部１０のセンサベース部１００に固定されている。そして図２，図３で示すようにセンサベース部１００のエア流路２と連通している。このように図示しないエア供給ホース、継手１８、継手１９、エアチューブ２０、継手２１を介してエア流路２に圧縮エアが供給される。なお、これら継手１８，１９，２１はいわゆるワンタッチジョイント・クイック継手であり、エア供給ホース、エアチューブ２０を簡単に接続できる。
【００３２】
受光ユニット収容ケース２２は、筒体であり、上側の開口部に蓋部１３および導入ベース部１４が、また、下側の開口部にセンサ部１０が配置固定される。この受光ユニット収容ケース２２に収容される受光部側ロッドレンズ１０６、光学ベース１０７、ハーフミラー１０８、第１受光部１０９、第２受光部１１０、接続コード１１１、基板１７等により受光ユニットが構成される。
発光ユニット収容ケース２３は、筒体であり、上側の開口部にセンサ部１０が配置固定される。この発光ユニット収容ケース２３に収容される発光部側ロッドレンズ１０２、光源ランプ１０３、ソケット１０４、ランプベース１０５、電源部２４、コード２５等により発光ユニットが構成される。
電源部２４は、発光ユニット収容ケース２３内に収納される。
コード２５は、一方が電源部２４に他方がソケット１０４に電気的に接続される。電源部２４から発光に充分な電力がソケット１０４を介して光源ランプ１０３へ供給される。
蓋部２６は、段付の円板であり、発光ユニット収容ケース２３の下側の開口部に固定される。
【００３３】
続いて本発明の洗浄装置１について説明する。
洗浄装置１は、詳しくは、図２，図３で示すように、エア流路２、流体噴射部３を備えている。そして詳しくは、図３で示すように、流体噴射部３は、気体噴射部３１、ノズル３２を備える。このノズル３２は、さらに噴射部３２１、噴射路３２２、吸引部３２３、流入路３２４、シール３２５を備える。なお、図３では発光部側ロッドレンズ１０２側にのみ符号を付しているが、受光部側ロッドレンズ１０６側も同じ構成であり、重複する符号を省略している。
【００３４】
エア流路２は、センサベース部１００に穿設された流路であり、図中で上下方向に伸びる基幹流路である。また、この基幹流路と連通するとともに、接液部である発光部側ロッドレンズ１０２の発光面および受光部側ロッドレンズ１０６の受光面に向いた噴射流路が形成されている。
気体噴射部３１は、詳しくは環状流路である。この環状流路は、噴射流路内にノズル３２の噴射部３２１が中心軸を同じくして同軸に配置されるため環状の流路が形成されたものである。
噴射部３２１は開口部が小径の筒体であり、噴射路３２２が形成されている。
吸引部３２３は開口部が大径の筒体であり、流入路３２４が形成されている。
【００３５】
これら噴射部３２１と吸引部３２３とは連結され、吸引部３２３の流入路３２４の開口面積を大きく、噴射部３２１の噴射路３２２の開口面積を狭くしている。ノズル３２の吸引部３２３とセンサベース部１００との間にはシール３２５を配設し、流入路３２４以外からエア流路２へ被検液が侵入しないようにしている。
【００３６】
続いて、洗浄装置１の使用方法について説明する。
図示しないエア給気装置を稼働させて、図示しないエア供給ホース、継手１８、継手１９、エアチューブ２０、継手２１を介してエア流路２に圧縮エアが供給される。この圧縮エアの供給は一定の圧力で継続的に供給される。すると、流体噴射部３の気体噴射部（環状流路）３１から圧縮エアが連続して噴射される。図３では図を見やすくするため、気体噴射部（環状流路）３１の開口部を広く図示しているが、実際は充分に狭くすることで噴射速度を大きくしている。この場合、充分な量の圧縮エアを送ることで、発光部側ロッドレンズ１０２の発光面および受光部側ロッドレンズ１０６の受光面は圧縮エアのエア噴射領域４（図３中の実線領域）で覆われた状態となっている。なお、実際はエア噴射領域４はこのような直線状になるわけではないが、説明上このような領域になるものとして説明する。エア噴射領域４では大きな気泡が占めたり、気泡が移動したりする事態がランダムに起きるような領域である。これらの発光面および受光面は被検液の接液部であり、洗浄対象となるが、気泡に覆われたり、気泡の境界面と接触することとなる。このように圧縮エアを被検液中で急激に膨張させて気泡を含んだ高速な水流を発生させ、この水流の勢いと、発光面および受光面に付着した汚濁物質に被検液（液相）と気泡（気相）との境界部が無秩序に接触する際に、汚濁物質に振動が引き起こされることとの相乗作用によって、効率的に汚濁物質が剥離除去される。
【００３７】
さらに流体噴射部３では、噴射流路の開口部の中側であってこの開口部の近傍にノズル３２の噴射部３２１の開口部が配置されており、気体噴射部（環状流路）３１から圧縮エアが噴射されるとアスピレータの原理により噴射路３２２の出口側開口部付近は低圧部５が形成されて被検液が吸引されるというものであり、大きな気泡で覆われたエア噴射領域４となったときその中央において小さい滴が噴射されている滴噴射領域６（図３中の点線領域）が形成される。この滴噴射領域６では細かい滴が発光面および受光面に打ち当てられる。滴は先の気泡等より重く引き剥がし力が大きくなっており、発光面および受光面に付着する汚濁物質を引き剥がしていく。
【００３８】
このように吹き付ける圧縮エアの勢いを利用して、アスピレータとしての作用を生じさせることで他の流体（本形態では被検液）を混入させ、圧縮エアと滴とを含む圧縮流体を噴射する。この圧縮流体のうち圧縮エアは大きな気泡となってエア噴射領域４を形成し、同時に飛び出す被検液は細かい滴になって滴噴射領域６を形成して洗浄対象に衝突するので、換言すれば洗浄対象に水の礫が当たり続ける状況となる。このため、従来技術のように空気のような軟質素材が吹き付けられるだけの状態と比較しても引き剥がし力が強力になっており、洗浄力を高めることができる。
さらに滴が当たるときには圧縮エアも噴射している状態であり、剥がれ落ちそうな汚濁物質に対して圧縮エアの噴射力で汚濁物質を吹き飛ばすという作用もある。
【００３９】
これらのようにエア噴射領域４および滴噴射領域６により形成される圧縮流体噴射領域では、（１）被検液（液相）と気泡（気相）との境界部が洗浄対象と無秩序に接触して生じる引き剥がし力、（２）滴が洗浄対象に打ち当てられて生じる引き剥がし力、（３）圧縮エアの噴射力による引き剥がし力、がランダムに生じて洗浄対象から汚濁物質が除去されることとなり、洗浄能力を高めている。
【００４０】
また、本形態では被検液の接液部である発光部側ロッドレンズ１０２および受光部側ロッドレンズ１０６の受光面は先端が曲面凸形状を形成しており、これにより、汚濁物質が付着しても剥がれ易くなるようになっている。
そのため、この曲面凸形状と本発明による圧縮エアおよび滴による引き剥がし効果との相乗効果により、さらに洗浄力の向上を実現することができる。
【００４１】
以上本形態について説明した。なお、このような洗浄では、一定期間にわたり連続して圧縮エアと滴とを吹き付ける洗浄方式として説明したが、交互に吹き付けと休止を繰り返すパルスジェット方式を採用することも可能である。また、圧縮エアの圧力を変えて大きな気泡と小さな気泡を当てることで汚濁物質に接触する気泡の量や大きさを変化させて引き剥がし力に強弱を加えて汚濁物質を剥離除去するようにしても良い。
【００４２】
また、流入路３２４は被検液を吸引するものとして説明したが、被検液の吸引に代えて、流入路３２４に図示しないチューブの一端を接続し、陸上・船上に設置されるタンクをチューブの他端に接続し、このタンクから純水や洗浄液を供給して純水や洗浄液による滴噴射を行ってもよい。このような場合引き剥がし力の強化に加えて、純水や洗浄液のすすぎにより付着物が除去され、洗浄力をさらに高めることができる。
【００４３】
また、本形態では洗浄対象として発光部側ロッドレンズ１０２の発光面および受光部側ロッドレンズ１０６の受光面という接液部について説明した。しかしながら、洗浄対象を限定する主旨ではなく、水質を検出するための各種検出部の接液部を洗浄対象として良い。
また、本形態では圧縮気体として、空気を圧縮した圧縮エアを例に挙げて説明を行ったが、被検液の性状に影響を与えない他の流体を採用しても良い。圧縮気体は適宜選択される。
【図面の簡単な説明】
【００４４】
【図１】本発明を実施するための最良の形態の水質計の構成図である。
【図２】センサ部の構成図である。
【図３】洗浄装置の構成図である。
【符号の説明】
【００４５】
１０００：水質計
１０：センサ部
１００：センサベース部
１０１：検出空間
１０２：発光部側ロッドレンズ
１０３：光源ランプ
１０４：ソケット
１０５：ランプベース
１０６：受光部側ロッドレンズ
１０７：光学ベース
１０７ａ：光路
１０８：ハーフミラー
１０９：第１受光部
１１０：第２受光部
１１１：接続コード
１１２：シール
１１：ブッシング
１２：封止部
１３：蓋部
１４：導入ベース部
１５：端子部
１６：コード
１７：基板
１８：継手
１９：継手
２０：エアチューブ
２１：継手
２２：受光ユニット収容ケース
２３：発光ユニット収容ケース
２４：電源部
２５：コード
２６：蓋部
１：洗浄装置
２：エア流路
３：流体噴射部
３１：気体噴射部（環状流路）
３２：ノズル
３２１：噴射部
３２２：噴射路
３２３：吸引部
３２４：流入路
３２５：シール
４：エア噴射領域
５：低圧部
６：滴噴射領域
【図１】
2008002956.tif 000003
【図２】
2008002956.tif 000004
【図３】
2008002956.tif 000005